(57)【要約】【課題】筐体を小型化・薄型化できる携帯電子機器を提供すること。【解決手段】携帯電子機器１は、板状部３５１、板状部３５１の周縁部の少なくとも一部から該板状部３５１の第１の面３５ａ側に起立される壁部３５２、及び少なくとも壁部３５２に形成される穴部３５３を有する板金部材３５と、壁部３５２を覆うと共に板状部３５１の一部を覆う樹脂部３６と、有する第１ケース３１と、壁部３５２が起立される面側から、板金部材３５を含む第１ケース３１を覆って結合される第２ケース３２と、第２ケース３２の内面に設けられ、壁部３５２に対向する位置に配置される係合突起部３９３と、第１ケース３１において板金部材３５における穴部３５３が形成された部分を覆う樹脂部３６の外面側に設けられ係合突起部３９３が係合される係合凹部３７と、を備える。【選択図】図５
2010258818.tif 000002
【特許請求の範囲】
【請求項１】
板状部、該板状部の周縁部の少なくとも一部から該板状部の第１の面側に起立される壁部、及び少なくとも前記壁部に形成される穴部を有する板金部材と、前記壁部を覆うと共に前記板状部の一部を覆う樹脂部と、有する第１ケースと、
前記壁部が起立される面側から、前記板金部材を含む前記第１ケースを覆って結合される第２ケースと、
前記第２ケースの内面に設けられ、前記壁部に対向する位置に配置される係合突起部と、
前記第１ケースにおいて前記板金部材における穴部が形成された部分を覆う樹脂部の外面側に設けられ前記係合突起部が係合される係合凹部と、を備える携帯電子機器。
【請求項２】
前記穴部は、前記壁部から前記板状部に亘って連続的に形成される請求項１に記載の携帯電子機器。
【請求項３】
前記板状部は、前記壁部が起立されている板状周縁部と、該板状周縁部の内側に設けられ前記第１の面側に凹んで電子部品が収容可能な電子部品収容凹部と、を備える請求項１又は２に記載の携帯電子機器。
【請求項４】
前記電子部品は、表示モジュールである請求項３に記載の携帯電子機器。
【請求項５】
前記板状周縁部の少なくとも一部は、前記第１の面の反対側の第２の面側にて前記樹脂部に覆われず露出している請求項３又は４に記載の携帯電子機器。
【請求項６】
前記第１ケースにおける前記第２ケースにて覆われる側と反対側に配され、前記電子部品収容凹部及び前記板状周縁部を覆うカバー部材を更に備え、
前記カバー部材は、前記電子部品に対向する領域に形成される光透過部と、前記板状周縁部に対向する領域に形成される光不透過部と、を備える請求項３から５のいずれか一項に記載の携帯電子機器。
【請求項７】
前記壁部の外側を覆う樹脂部は、前記板金部材の外側に延出する延出部を有し、該延出部における前記第２ケースにて覆われる側に位置する面には、前記第２ケースの周縁部における先端側が当接される請求項１から６のいずれか一項に記載の携帯電子機器。
【請求項８】
前記第２ケースは、平板部、及び該平板部の一対の側縁から該平板部に略垂直に延びる一対の側壁部を有する金属製の外装部と、前記平板部の内面における前記一対の側縁近傍に配置され前記係合突起部を有する樹脂製の内装部と、を備え、
前記係合突起部は、前記第２ケースが前記第１ケースに結合されるときに外側に撓み、
前記係合突起部と該係合突起部の外側に位置する前記側壁部との間には、前記係合突起部が撓む量に対応した隙間が形成される請求項１から７のいずれか一項に記載の携帯電子機器。
【請求項９】
前記内装部は、前記一対の側縁から所定間隔をあけて該一対の側縁に沿って配置される一対の枠部を更に備え、
前記係合突起部は、前記枠部に連結され、
前記枠部における前記係合突起部との連結部の内側には、貫通穴が設けられる請求項８に記載の携帯電子機器。
【請求項１０】
前記壁部における前記穴部が形成された部分の高さは、該壁部における前記穴部が形成されていない部分の高さよりも高く構成され、
前記第１ケースにおける前記係合凹部が形成された部分の高さは、該第１ケースにおける前記係合凹部が形成されていない部分の高さよりも高く構成され、
前記第２ケースと前記第１ケースとが結合された状態で、前記第１ケースにおける前記係合凹部が形成された部分の高さ方向の先端側は、前記貫通穴に挿入される請求項９に記載の携帯電子機器。
【発明の詳細な説明】
【技術分野】
【０００１】
本発明は、携帯電話機等の携帯電子機器に関する。
【背景技術】
【０００２】
近年、携帯電子機器としての携帯電話機の薄型化が求められている。そして、薄型化された携帯電話機の剛性を向上させるために、樹脂部材に板金部材をインサート成形して形成したケース部材を用いて筐体を構成する技術が提案されている（例えば、特許文献１参照）。
特許文献１で提案された携帯電話機における筐体は、インサート成形により形成されたケース部材としての第１ケースと、第２ケースとを結合して構成されている。第１ケースにおける板金部材は、平板部とこの平板部の周縁から起立する壁部とを備えている。また、樹脂部材は、壁部の外面側を覆って第１ケースの外周を構成している。
【先行技術文献】
【特許文献】
【０００３】
【特許文献１】特開２００８−７８８３８号公報
【発明の概要】
【発明が解決しようとする課題】
【０００４】
特許文献１で提案された携帯電話機における筐体では、第１ケースと第２ケースとは、第１ケースを構成する板金部材の壁部の外側を覆う樹脂部材に設けられた係合凹部に、第２ケースに設けられた係合爪部が係合されて結合されている。そのため、第１ケースにおける壁部の外側は、係合凹部を設けられる厚さの樹脂部材で覆う必要があり、筐体の小型化・薄型化を十分行えないという問題があった。
【０００５】
従って、本発明は、筐体をより小型化・薄型化できる携帯電子機器を提供することを目的とする。
【課題を解決するための手段】
【０００６】
本発明は、板状部、該板状部の周縁部の少なくとも一部から該板状部の第１の面側に起立される壁部、及び少なくとも前記壁部に形成される穴部を有する板金部材と、前記壁部を覆うと共に前記板状部の一部を覆う樹脂部と、有する第１ケースと、前記壁部が起立される面側から、前記板金部材を含む前記第１ケースを覆って結合される第２ケースと、前記第２ケースの内面に設けられ、前記壁部に対向する位置に配置される係合突起部と、前記第１ケースにおいて前記板金部材における穴部が形成された部分を覆う樹脂部の外面側に設けられ前記係合突起部が係合される係合凹部と、を備える携帯電子機器に関する。
【０００７】
また、前記穴部は、前記壁部から前記板状部に亘って連続的に形成されることが好ましい。
【０００８】
また、前記板状部は、前記壁部が起立されている板状周縁部と、該板状周縁部の内側に設けられ前記第１の面側に凹んで電子部品が収容可能な電子部品収容凹部と、を備えることが好ましい。
【０００９】
また、前記電子部品は、表示モジュールであることが好ましい。
【００１０】
また、前記板状周縁部の少なくとも一部は、前記第１の面の反対側の第２の面側にて前記樹脂部材に覆われず露出していることが好ましい。
【００１１】
また、携帯電子機器は、前記第１ケースにおける前記第２ケースにて覆われる側と反対側に配され、前記電子部品収容凹部及び前記板状周縁部を覆うカバー部材を更に備え、前記カバー部材は、前記電子部品に対向する領域に形成される光透過部と、前記板状周縁部に対向する領域に形成される光不透過部と、を備えることが好ましい。
【００１２】
また、前記壁部の外側を覆う樹脂部は、前記板金部材の外側に延出する延出部を有し、該延出部における前記第２ケースにて覆われる側に位置する面には、前記第２ケースの周縁部における先端側が当接されることが好ましい。
【００１３】
また、前記第２ケースは、平板部、及び該平板部の一対の側縁から該平板部に略垂直に延びる一対の側壁部を有する金属製の外装部と、前記平板部の内面における前記一対の側縁近傍に配置され前記係合突起部を有する樹脂製の内装部と、を備え、前記係合突起部は、前記第２ケースが前記第１ケースに結合されるときに外側に撓み、前記係合突起部と該係合突起部の外側に位置する前記側壁部との間には、前記係合突起部が撓む量に対応した隙間が形成されることが好ましい。
【００１４】
また、前記内装部は、前記一対の側縁から所定間隔をあけて該一対の側縁に沿って配置される一対の枠部を更に備え、前記係合突起部は、前記枠部に連結され、前記枠部における前記係合突起部との連結部の内側には、貫通穴が設けられることが好ましい。
【００１５】
また、前記壁部における前記穴部が形成された部分の高さは、該壁部における前記穴部が形成されていない部分の高さよりも高く構成され、前記第１ケースにおける前記係合凹部が形成された部分の高さは、該第１ケースにおける前記係合凹部が形成されていない部分の高さよりも高く構成され、前記第２ケースと前記第１ケースとが結合された状態で、前記第１ケースにおける前記係合凹部が形成された部分の高さ方向の先端側は、前記貫通穴に挿入されることが好ましい。
【発明の効果】
【００１６】
本発明の携帯電子機器によれば、筐体をより小型化・薄型化できる。
【図面の簡単な説明】
【００１７】
【図１】本発明の一実施形態の携帯電話機１を開状態で示す斜視図である。
【図２】本発明の一実施形態の携帯電話機１を閉状態で示す斜視図である。
【図３】表示部側筐体を前面側から視た状態における表示部側筐体の分解斜視図である。
【図４】表示部側筐体３をリアケース３２側から視た平面図である。
【図５】図４に示すＡ−Ａ線断面図である。
【図６】板金部材を表示部側筐体の前面側（第２の面側）から視た斜視図である。
【図７】図６の部分拡大図である。
【図８】板金部材を表示部側筐体の背面側（第１の面側）から視た平面図である。
【図９】図８に示すＢ−Ｂ線断面図である。
【図１０】図８に示すＣ−Ｃ線断面図である。
【図１１】フロントケースを表示部側筐体の背面側（リアケースが被せられる側の面側）から視た平面図である。
【図１２】図１１に示すＤ−Ｄ線断面図である。
【図１３】図１１に示すＥ−Ｅ線断面図である。
【図１４】内装部を製造する方法の一例を示す図である。
【図１５】フロントケースとリアケースとを結合させる工程を示す図であり、フロントケースの位置とリアケースの位置とを合わせた状態を示す図である。
【図１６】フロントケースとリアケースとを結合させる工程を示す図であり、フロントケースにリアケースを接近させた状態を示す図である。
【図１７】フロントケースとリアケースとを結合させる工程を示す図であり、リアケースを更にフロントケース側に移動させた状態を示す図である。
【図１８】フロントケースとリアケースとを結合させる工程を示す図であり、フロントケースとリアケースとが結合された状態を示す図である。
【発明を実施するための形態】
【００１８】
以下、本発明の実施形態について、図面を参照しながら説明する。まず、本発明の携帯電子機器の一実施形態である携帯電話機１の基本構造について、図１及び図２を参照しながら説明する。
図１は、本発明の一実施形態の携帯電話機１を開状態で示す斜視図である。図２は、本発明の一実施形態の携帯電話機１を閉状態で示す斜視図である。
【００１９】
図１及び図２に示すように、本実施形態の携帯電話機１は、折り畳み型の携帯電話機１であって、略直方体形状の操作部側筐体２と、略直方体形状の表示部側筐体３と、操作部側筐体２と表示部側筐体３とを連結する連結部４と、を備える。
【００２０】
操作部側筐体２の上端部と表示部側筐体３の下端部とは、連結部４を介して開閉可能（折り畳み可能）に連結される。つまり、連結部４は、表示部側筐体３と操作部側筐体２とを開閉軸を中心に開閉可能に連結する。携帯電話機１は、連結部４を介して連結された操作部側筐体２と表示部側筐体３とが相対的に回転（回動）されることにより、操作部側筐体２と表示部側筐体３とが互いに開いた状態（開状態、図１参照）や、操作部側筐体２と表示部側筐体３とが折り畳まれた状態（閉状態、図２参照）に変形される。
【００２１】
まず、操作部側筐体２について説明する。操作部側筐体２は、外郭を形成するフロントケース２１及びリアケース２２を備える。フロントケース２１は、操作部側筐体２の前面２ａ側を構成する。操作部側筐体２の前面２ａは、携帯電話機１が折り畳まれた状態で表示部側筐体３と向かい合う面である。リアケース２２は、操作部側筐体２における前面２ａと反対側の面である背面２ｂ側を構成する。
【００２２】
フロントケース２１は、操作部としての操作キー群１１が前面２ａに露出するように構成される。操作キー群１１は、各種設定や電話帳機能やメール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５と、を有する。
【００２３】
操作キー群１１を構成する各キーそれぞれには、操作部側筐体２と表示部側筐体３との開閉状態や、起動されているアプリケーションの種類に応じて所定の機能が割り当てられる（キー・アサイン）。携帯電話機１において、操作キー群１１を構成する各キーがユーザにより押圧されることで、各キーに割り当てられている機能に応じた動作が実行される。
【００２４】
操作部側筐体２の前面２ａには、携帯電話機１のユーザが通話時に発した音声が入力される音声入力部１２が配置される。音声入力部１２は、操作部側筐体２の長手方向における連結部４とは反対側の端部（下端部）の近傍に配置される。
【００２５】
操作部側筐体２の側面には、例えば、外部機器（例えば、ホスト装置）とデータの送受信を行うためのインターフェースや、ヘッドホン／マイク端子、着脱可能な外部メモリのインターフェースや、バッテリを充電するための充電端子等が設けられる（いずれも図示せず）。
【００２６】
次に、表示部側筐体３について説明する。
図１に示すように、表示部側筐体３は、外郭を形成するフロントケース３１、カバー部材３３及びリアケース３２を備える。表示部側筐体３の前面３ａは、主として、フロントケース３１及びカバー部材３３により構成される。また、図２に示すように、表示部側筐体３の背面３ｂは、主として、リアケース３２により構成される。
尚、表示部側筐体３の前面３ａは、携帯電話機１が折り畳まれた状態で操作部側筐体２と向かい合う面である。また、表示部側筐体３の背面３ｂは、表示部側筐体３の前面３ａと反対側に位置する面である。
図１に示すように、表示部側筐体３の前面３ａには、通話の相手側における音声を出力する音声出力部３１１が配置される。音声出力部３１１は、表示部側筐体３の長手方向における連結部４とは反対の端部側に配置される。
表示部側筐体３の前面３ａからは、カバー部材３３を介して後述する表示モジュール３４の表示部３３ａが視認可能となっている。
【００２７】
表示部側筐体３の構成について、図面を参照しながら更に説明する。図３は、前面３ａ側から視た状態における表示部側筐体３の分解斜視図である。図４は、表示部側筐体３をリアケース３２側から視た平面図である。図５は、図４のＡ−Ａ線断面図である。
【００２８】
図３に示すように、表示部側筐体３は、外装部３８と内装部３９とを有する第２ケースとしてのリアケース３２（図４参照）と、第１ケースとしてのフロントケース３１と、電子部品としての表示モジュール３４と、カバー部材３３と、を備える。表示部側筐体３においては、リアケース３２、フロントケース３１、表示モジュール３４及びカバー部材３３が、この順で積層的に配置される。
【００２９】
図３及び図５に示すように、フロントケース３１は、板金部材３５と、この板金部材３５の一部を覆う樹脂部３６と、樹脂部３６の外面の一部が凹んで形成される複数の係合凹部３７と、を備える。このフロントケース３１は、板金部材３５と樹脂部３６とが、インサート成形により一体的に成形されて構成される。
【００３０】
先ず、フロントケース３１を構成する板金部材３５について、図６〜図１０を参照して説明する。図６は、板金部材３５を表示部側筐体３の前面３ａ側から視た斜視図であり、図７は、図６の部分拡大斜視図である。図８は、板金部材３５を表示部側筐体３の背面３ｂ側から視た平面図である。図９は、図８に示すＢ−Ｂ線断面図であり、図１０は、図８に示すＣ−Ｃ線断面図である。
図６〜図８に示すように、板金部材３５は、略矩形板状の金属部材をプレス加工により成形して形成される。この板金部材３５は、平面視で略矩形形状を有する板状部３５１と、この板状部３５１の一対の側縁から板状部の第１の面３５ａ側に起立する壁部３５２と、壁部３５２から板状部３５１に亘って連続的に設けられた穴部３５３と、を備える。
【００３１】
図８〜図１０に示すように、板状部３５１は、この板状部３５１の周縁部を構成する板状周縁部３５１ａと、板状周縁部３５１ａの内側に設けられ、第１の面３５ａ側に凹む電子部品収容凹部３５１ｂと、を備える。
板状周縁部３５１ａは、略平面状に形成されている。また、図８に示すように、板状部３５１の長手方向に沿う側縁を構成する板状周縁部３５１ａの幅は、板状部３５１の幅方向に沿う側縁を構成する板状周縁部３５１ａの幅よりも狭く構成されている。
【００３２】
図６及び図８に示すように、電子部品収容凹部３５１ｂは、板金部材３５の中央部に設けられる。この電子部品収容凹部３５１ｂには、表示モジュール３４が収容される（図５参照）。図９及び図１０に示すように、電子部品収容凹部３５１ｂは、板状周縁部３５１ａの内縁に位置し、板状周縁部３５１ａに対して略垂直に延びる収容壁部３５１ｃと、この収容壁部３５１ｃに対して略垂直に延びる収容底部３５１ｄと、を備える。
収容壁部３５１ｃの高さ（電子部品収容凹部３５１ｂの深さ）は、表示モジュール３４の厚さよりも高く構成されている（図５参照）。
収容底部３５１ｄは、略平面状に構成されている。この収容底部３５１ｄには、複数の貫通穴３５１ｅが形成されている（図６及び図８参照）。この貫通穴３５１ｅには、例えば、表示モジュール３４に接続されているフレキシブル基板（図示せず）が挿通される。
【００３３】
図８〜図１０に示すように、壁部３５２は、板状部３５１の長手方向に沿う側縁を構成する板状周縁部３５１ａの外縁から略垂直に起立している。つまり、壁部３５２は、板金部材３５の長手方向に沿う一対の側縁にそれぞれ設けられる。
穴部３５３は、板金部材３５の長手方向に沿って所定間隔をあけて３つ設けられている。これら穴部３５３は、図６及び図１０に示すように、壁部３５２の基端側から板状周縁部３５１ａに亘って連続的に形成されている。
【００３４】
図７に示すように、壁部３５２は、穴部３５３が設けられた部分において、板金部材３５の幅方向内方に凹んでいる。また、図７、図９及び図１０に示すように、壁部３５２の穴部３５３が設けられた部分における高さｈ１は、穴部３５３が設けられていない部分における高さｈ２よりも高く構成されている。
以上の板金部材３５は、図１０に示すように、一対の側縁の断面形状が壁部３５２と板状周縁部３５１ａとにより略Ｌ字形状に構成されると共に、壁部３５２と板状周縁部３５１ａと収容壁部３５１ｃとにより略コ字形状に構成されている。
【００３５】
次に、樹脂部３６及び係合凹部３７について図１１〜図１３を参照して説明する。
図１１は、フロントケース３１を表示部側筐体３の背面３ｂ側（リアケース３２が被せられる側の面側）から視た平面図である。図１２は、図１１に示すＤ−Ｄ線断面図であり、図１３は、図１１に示すＥ−Ｅ線断面図である。
図１１に示すように、樹脂部３６は、板金部材３５の周縁部を覆うように枠状に形成される。より具体的には、図１２及び図１３に示すように、板金部材３５の長手方向に沿う一対の側縁においては、樹脂部３６は、壁部３５２の内面、外面及び先端を覆うと共に、板状周縁部３５１ａにおける第１の面３５ａ側を覆っている。板状周縁部３５１ａにおける第２の面３５ｂ側は、樹脂部３６に覆われておらず、板金部材３５が露出している。
また、図１２に示すように、板金部材３５において穴部３５３が設けられた部分では、樹脂部３６は、穴部３５３に充填されている。そして、板状周縁部３５１ａの第２の面３５ｂと、穴部３５３に充填された樹脂部３６の第２の面３５ｂ側とは、略同一平面となるように形成されている。つまり、板状周縁部３５１ａの第２の面３５ｂと、穴部３５３に充填された樹脂部３６の第２の面３５ｂ側とは、面一に形成されている。
【００３６】
また、壁部３５２の外側を覆う樹脂部３６は、板金部材３５の幅方向の外方で、かつ、第２の面３５ｂ側に延出して延出部３６１を構成している。この延出部３６１によりフロントケース３１の外形（側面）が形成されている。延出部３６１における第１の面３５ａ側に位置する面３６１ａは平面状部分を有しており、この平面状部分に後述のリアケース３２の側壁部３８２の先端側が当接する（図５参照）。
【００３７】
図１２に示すように、係合凹部３７は、板金部材３５における穴部３５３が形成された部分を覆う樹脂部３６の外面側に設けられる。本実施形態では、係合凹部３７は、図１１に示すように、フロントケース３１の長手方向に沿う一対の側面にそれぞれ３つずつ設けられている。
係合凹部３７の深さｄ１は、この係合凹部３７が設けられた部分において壁部３５２の外側を覆う樹脂部３６の厚さｄ２よりも深く構成されている。
【００３８】
以上のフロントケース３１は、図１２及び図１３に示すように、係合凹部３７が形成された部分における高さｈ３が、係合凹部３７が形成されていない部分における高さｈ４よりも高く構成されている。
【００３９】
次に、図３及び図５を参照して、表示モジュール３４及びカバー部材３３について説明する。
表示モジュール３４は、各種情報を表示する。この表示モジュール３４は、図３及び図５に示すように、厚さの薄い略長方体形状を有しており、一方の面に表示部３４ａが設けられる。表示モジュール３４は、表示部３４ａが設けられた面がカバー部材３３の配される側を向くように電子部品収容凹部３５１ｂに収容される。
表示モジュール３４は、液晶パネルと、液晶パネルを駆動する駆動回路と、液晶パネルの背面側から光を照射するバックライトとを有する（いずれも図示せず）。
【００４０】
図３及び図５に示すように、カバー部材３３は、フロントケース３１におけるリアケース３２に覆われる側と反対側に配される。このカバー部材３３は、電子部品収容凹部３５１ｂ及び板状周縁部３５１ａを覆う（図１３参照）。また、図５に示すように、カバー部材３３は、板金部材３５に穴部３５３が設けられた部分においては、板状周縁部３５１ａを覆うと共に、板状周縁部３５１ａの外側に板状周縁部３５１ａの第２の面３５ｂと面一に構成された樹脂部３６を覆っている。
図３及び図５に示すように、カバー部材３３は、表示モジュール３４の表示部３４ａに対向する領域である中央領域に形成される光透過部３３１と、板状周縁部３５１ａに対向する領域である周縁領域に形成される光不透過部３３２と、を備える。具体的には、カバー部材３３は、アクリルやガラス等の透明の板状部材の表面における周縁領域に、印刷等を施して構成されている。これにより、印刷等に覆われた周縁領域に光不透過部３３２が形成され、印刷等により覆われていない中央領域に光透過部３３１が形成される。
カバー部材３３は、接着剤や両面テープ等によりフロントケース３１に固定される。
【００４１】
以上のカバー部材３３によれば、表示部３４ａは、カバー部材３３を介して、表示部側筐体３の前面３ａ側から視認可能となっている。また、板状周縁部３５１ａ及びこの板状周縁部３５１ａと面一に構成された領域の樹脂部３６は、表示部側筐体３の前面３ａ側から視認されない。
【００４２】
次に、図３〜図５を参照しながら、リアケース３２について説明する。
図３〜図５に示すように、リアケース３２は、表示部側筐体３の背面３ｂの大部分を構成する外装部３８と、少なくとも一部が外装部３８の内面側に配置される内装部３９と、を備える。
【００４３】
図３及び図５に示すように、外装部３８は、板状の金属部材が折曲されて形成されている。この外装部３８は、平板部３８１と一対の側壁部３８２と、を備える。平板部３８１は、略矩形形状を有している。一対の側壁部３８２は、平板部３８１の長手方向に沿う一対の側縁からこの平板部３８１に対して略垂直に延びて形成されている。より詳細には、一対の側壁部３８２は、図５に示すように、基端側から先端側に向かうに従って徐々に、かつ、わずかに外側に広がっている。
【００４４】
内装部３９は、図３に示すように、一対の枠部としての第１枠部３９１と、一対の第２枠部３９２と、一対の第１枠部３９１それぞれに連結される複数の係合突起部３９３（図５参照）と、複数の係合突起部３９３と第１枠部３９１との連結部の内側にそれぞれ設けられる複数の貫通穴３９４（図５参照）と、を備える。
【００４５】
図３及び図５に示すように、一対の第１枠部３９１は、平板部３８１の内面における長手方向に沿う一対の側縁近傍に配置される。これら一対の第１枠部３９１の長さは、平板部３８１の長手方向における長さよりも長く構成されている。つまり、一対の第１枠部３９１それぞれの両端は、平板部３８１の長手方向の両端部からそれぞれ外側に突出している。
一対の第２枠部３９２は、一対の第１枠部３９１の端部同士を連結している。一対の第２枠部３９２は、外装部３８に覆われておらず、外部に露出している。
【００４６】
複数の係合突起部３９３は、一対の第１枠部３９１における外縁側に連結される。本実施形態では、係合突起部３９３は、一対の第１枠部３９１それぞれに、所定間隔をあけて３つずつ設けられている。複数の係合突起部３９３は、リアケース３２をフロントケース３１に結合させたときに、複数の係合凹部３７に対応する位置に設けられる。
係合突起部３９３は、内装部３９が外装部３８に固定された状態で、平板部３８１に略垂直に配置される第１突起３９３ａと、この第１突起３９３ａの先端近傍から内方（フロントケース３１側）に向かって突出する第２突起３９３ｂと、を備える。より詳細には、第１突起３９３ａは、平板部３８１に略垂直であるが、先端側に向かうに従ってわずかに内側に傾いて延びている。また、第２突起３９３ｂは、先端側に向かうに従って徐々に幅が細くなっている。
【００４７】
図３に示すように、複数の貫通穴３９４は、第１枠部３９１における係合突起部３９３が連結された部分の内側に設けられる。これら複数の貫通穴３９４は、フロントケース３１における係合凹部３７が形成された部分の先端側が挿入可能な大きさに形成される。
【００４８】
図１４は、本実施形態における内装部３９の製造に用いられる金型の一例を示す図である。
上述の内装部３９は、例えば、図１４に示すように、所定形状を有する第１金型４０及び第２金型５０を用いて、これら第１金型４０と第２金型５０との間に形成された空間に溶融した樹脂材料を充填して形成される。
ここで、本実施形態の内装部３９は、第１枠部３９１における係合突起部３９３との連結部の内側に貫通穴３９４を設けている。これにより、図１４に示す上方に配置される第２金型５０により、内装部３９における外装部３８に固定される側の面の形状、及び貫通穴３９４部分の形状を構成し、図１４に示す下方に配置される第１金型４０により、内装部３９におけるフロントケース３１に対向する側の形状を構成できる。
【００４９】
以上の内装部３９は、図５に示すように、一対の第１枠部３９１が平板部３８１の長手方向に沿う側縁に沿うように、平板部３８１の内面側に接着されて外装部３８に固定される。内装部３９は、例えば、接着剤により外装部３８に固定される。
ここで、上述のように、側壁部３８２は、基端側から先端側に向かうに従って徐々に、かつ、わずかに外側に広がっている。また、係合突起部３９３は、先端側に向かうに従ってわずかに内側に傾いて延びている。これにより、図５に示すように、係合突起部３９３とこの係合突起部３９３の外側に位置する側壁部３８２との間には、隙間３８３が形成される。この隙間３８３は、リアケース３２がフロントケース３１に結合されるときに、係合突起部３９３が外側に撓む大きさに対応した大きさを有している。
【００５０】
次に、図１５〜図１８を参照しながら、フロントケース３１とリアケース３２とが結合される様子を説明する。図１５〜図１８は、それぞれ、フロントケース３１とリアケース３２とを結合させる過程を示した図である。
まず、図１５に示すように、電子部品収容凹部３５１ｂに表示モジュール３４が収容され、表示モジュール３４を覆うカバー部材３３が配置された状態のフロントケース３１における、カバー部材３３が配置された側と反対側にリアケース３２が配される。この状態で、複数の係合突起部３９３それぞれの位置を、複数の係合凹部３７に対応する位置に位置させておく。
【００５１】
次いで、図１６に示すように、リアケース３２をフロントケース３１に接近させて複数の係合突起部３９３をフロントケース３１における係合凹部３７が形成された部分の先端側に接触させる。より詳細には、係合突起部３９３の第２突起３９３ｂを、係合凹部３７が形成された部分の高さ方向の先端側に接触させる。
【００５２】
次いで、図１７に示すように、リアケース３２を更にフロントケース側に移動させる。すると、第２突起３９３ｂがフロントケース３１における係合凹部３７が形成された部分の先端に押し付けられて、係合突起部３９３は、外側に撓む。ここで、係合突起部３９３と側壁部３８２との間には、隙間３８３が形成されている。この隙間３８３は、係合突起部３９３が撓む量に対応して形成されているので、係合突起部３９３の外側への撓みは規制されない。
【００５３】
次いで、図１８に示すように、リアケース３２を更に、フロントケース３１側に移動させると、係合突起部３９３が外側に撓んだ状態は解除され、第２突起３９３ｂが係合凹部３７に係合する。これにより、リアケース３２とフロントケース３１とが結合される。ここで、フロントケース３１とリアケース３２とが結合された状態で、フロントケース３１における係合凹部３７が形成された部分の先端側は、リアケース３２の第１枠部３９１に設けられた貫通穴３９４に挿入される。
【００５４】
以上の携帯電話機１によれば、以下のような効果を奏する。
板金部材３５を構成する壁部３５２に穴部３５３を設け、この穴部３５３を覆う樹脂部３６に係合凹部３７を設けた。これにより、板金部材３５の外側を覆う樹脂部３６の厚さを薄くしても係合凹部３７を設けられる。よって、携帯電話機１の薄型化及び小型化を図れる。
【００５５】
また、フロントケース３１において、係合凹部３７が設けられた部分における係合凹部３７よりも先端側にも板金部材３５を配置したので、フロントケース３１の剛性を向上できる。
【００５６】
また、穴部３５３を、壁部３５２及び板状周縁部３５１ａに亘って連続的に形成した。これにより、係合凹部３７を、よりカバー部材３３が配置されている側に設けられる。よって、携帯電話機１をより薄型化できる。
【００５７】
また、板状部３５１に電子部品収容凹部３５１ｂを設け、この電子部品収容凹部３５１ｂに表示モジュール３４を収容した。これにより、フロントケース３１の厚さの範囲内に表示モジュール３４を収容できる。よって、携帯電話機１をより薄型化できる。
また、表示モジュール３４の周囲を金属部材である板金部材３５で囲めるので、表示モジュール３４に外部の負荷がかかることを防止できる。
【００５８】
また、板状周縁部３５１ａにおけるカバー部材３３側に位置する面を露出させた。これにより、カバー部材３３とフロントケース３１との接着部分から侵入した静電気を金属部材である板金部材３５に流せるので、表示モジュール３４に対する静電気による影響を低減できる。
【００５９】
また、カバー部材３３における板状周縁部３５１ａに対向する領域を光不透過部３３２により構成した。これにより、金属部材が露出した板状周縁部３５１ａが外部から視認されることを防げる。よって、携帯電話機１の外観を向上できる。
【００６０】
また、樹脂部３６を、フロントケース３１の外周を構成する延出部３６１を有して構成し、この延出部３６１におけるリアケース３２側の面３６１ａに側壁部３８２の先端側を当接させた。これにより、フロントケース３１の外周と、リアケース３２の外周とを容易に一致させられ、携帯電話機１の外観を向上できる。
【００６１】
また、金属部材により構成される外装部３８に、係合突起部３９３を設けた内装部３９を固定してリアケース３２を構成した。これにより、外装部３８の厚さを薄く構成しても係合突起部３９３が撓む際に外装部３８にかかる応力に耐えうるだけの剛性を保てる。よって、リアケース３２をより薄型化でき、延いては携帯電話機１を薄型化できる。
【００６２】
また、係合突起部３９３とこの係合突起部３９３の外側に位置する側壁部３８２との間に、隙間３８３を設けた。これにより、リアケース３２をフロントケース３１に結合するときに、側壁部３８２により係合突起部３９３が外側に撓むことが妨げられない。よって、フロントケース３１とリアケース３２とを容易に結合できる。
【００６３】
また、第１枠部３９１における係合突起部３９３との連結部の内側に貫通穴３９４を設けた。これにより、図１４に示すように、貫通穴３９４が押切穴となり、内装部３９を、多数の複雑な金型を用いることなく第１金型４０及び第２金型５０の上下２つだけの金型を用いて容易に製造できる。よって、内装部３９の製造の効率を向上できる。
【００６４】
また、フロントケース３１における係合凹部３７が形成された部分の高さｈ３を、係合凹部３７が形成されていない部分における高さｈ４よりも高く構成し、フロントケース３１とリアケース３２とを結合させた状態で、係合凹部３７が形成された部分の先端を貫通穴３９４に挿入させた。よって、表示部側筐体３の剛性を保ちつつ、表示部側筐体３の薄型化を図れる。また、表示部側筐体３に対して、フロントケース３１とリアケース３２とが互いにずれる方向に負荷が加えられた場合における表示部側筐体３の強度を向上できる。
【００６５】
以上、本発明の一実施形態について説明したが、本発明は、前述した実施形態に制限されるものではなく、適宜変更が可能である。
例えば、本実施形態では、板状部３５１を、板状周縁部３５１ａ及び電子部品収容凹部３５１ｂにより構成したが、これに限らない。即ち、例えば、板状部の第２の面側に配置される電子部品の厚さが薄い場合には、板状部を、電子部品収容凹部を設けずに構成してもよい。
【００６６】
また、本実施形態では、壁部３５２及び穴部３５３を板状部３５１の長手方向に沿う一対の側縁に設けたが、これに限らない。即ち、壁部及び穴部を、板状部の周縁全体に設けてもよい。
【００６７】
また、本発明の携帯電子機器は、前記実施形態のような折り畳み式ではなく、操作部側筐体２と表示部側筐体３とを重ね合わせた状態から一方の筐体を一方向にスライドさせるようにしたスライド式の携帯電子機器であってもよい。また、本発明の携帯電子機器は、操作部側筐体２と表示部側筐体３との重ね合せ方向に沿う軸線を中心に一方の筐体を回転させるようにした回転式（ターンタイプ）の携帯無線装置であってもよい。
【００６８】
本発明は、携帯電話機以外の携帯電子機器に適用することができる。携帯電話機以外の携帯電子機器としては、例えば、ＰＨＳ（登録商標：Ｐｅｒｓｏｎａｌ  Ｈａｎｄｙ  ｐｈｏｎｅ  Ｓｙｓｔｅｍ）、ポータブルゲーム機、ポータブルナビゲーション装置、ＰＤＡ（Ｐｅｒｓｏｎａｌ  Ｄｉｇｉｔａｌ  Ａｓｓｉｓｔａｎｔ）、ノートパソコンが挙げられる。
【符号の説明】
【００６９】
１  携帯電話機（携帯電子機器）
２  操作部側筐体
３  表示部側筐体
３１  フロントケース（第１ケース）
３２  リアケース（第２ケース）
３３  カバー部材
３４  表示モジュール（電子部品）
３５  板金部材
３５ａ  第１の面
３５ｂ  第２の面
３６  樹脂部
３７  係合凹部
３８  外装部
３９  内装部
３３１  光透過部
３３２  光不透過部
３５１  板状部
３５１ａ  板状周縁部
３５１ｂ  電子部品収容凹部
３５２  壁部
３５３  穴部
３９３  係合突起部
【図１】
2010258818.tif 000003
【図２】
2010258818.tif 000004
【図３】
2010258818.tif 000005
【図４】
2010258818.tif 000006
【図５】
2010258818.tif 000007
【図６】
2010258818.tif 000008
【図７】
2010258818.tif 000009
【図８】
2010258818.tif 000010
【図９】
2010258818.tif 000011
【図１０】
2010258818.tif 000012
【図１１】
2010258818.tif 000013
【図１２】
2010258818.tif 000014
【図１３】
2010258818.tif 000015
【図１４】
2010258818.tif 000016
【図１５】
2010258818.tif 000017
【図１６】
2010258818.tif 000018
【図１７】
2010258818.tif 000019
【図１８】
2010258818.tif 000020